(57)【特許請求の範囲】
【請求項１】
画面を表示する表示部と、
前記画面を規定する四辺のうち、いずれかの辺側に配置された表示領域を含む前記画面を前記表示部に表示させる表示制御部と、
前記表示領域を含む前記画面が前記表示部に表示された状態で、回転を示すジェスチャーがされたか否かを判定するジェスチャー判定部と、を備え、
前記表示制御部は、前記ジェスチャーがされたと判定された場合、前記表示領域を前記画面上で移動させて、前記四辺のいずれかの辺側に配置し、
前記表示領域は、複数あり、
前記ジェスチャー判定部は、前記複数の表示領域のうち、いずれの表示領域上で前記ジェスチャーがされたか否かを判定し、
前記表示制御部は、前記複数の表示領域のうち、前記ジェスチャーがされた表示領域を、前記画面上で移動させて、前記四辺のいずれかの辺側に配置する表示装置。
【請求項２】
前記ジェスチャーで示される動きの回転角度を検出する角度検出部を更に備え、
前記ジェスチャーで示される１回転を、０度以上θ１未満の第１の角度範囲、前記θ１以上θ２未満の第２の角度範囲、前記θ２以上θ３未満の第３の角度範囲、前記θ３以上θ４未満の第４の角度範囲、前記θ４以上３６０度未満の第５の角度範囲に分け、
前記四辺を、第１の辺を基準にして、前記ジェスチャーで示す回転方向に配置された前記第１の辺、第２の辺、第３の辺、第４の辺とし、
前記表示制御部は、前記表示領域が前記第１の辺側に配置された状態で、前記ジェスチャーがされたとき、前記角度検出部で検出された前記回転角度が、前記第１の角度範囲の場合、前記表示領域を移動させず、前記第２の角度範囲に到達した場合、前記表示領域を前記第１の辺側から前記第２の辺側に移動させて前記第２の辺側に配置し、前記第３の角度範囲に到達した場合、前記表示領域を前記第２の辺側から前記第３の辺側に移動させて前記第３の辺側に配置し、前記第４の角度範囲に到達した場合、前記表示領域を前記第３の辺側から前記第４の辺側に移動させて前記第４の辺側に配置し、前記第５の角度範囲に到達した場合、前記表示領域を前記第４の辺側から前記第１の辺側に移動させて前記第１の辺側に配置する請求項１に記載の表示装置。
【請求項３】
前記表示部は、タッチパネル式表示部であり、
前記ジェスチャー判定部は、前記画面がタッチされて前記ジェスチャーがされたか否かを判定する請求項１又は２に記載の表示装置。
【請求項４】
前記ジェスチャーは、前記画面上のマウスポインターで円を描くマウスジェスチャーであり、
前記ジェスチャー判定部は、前記画面上のマウスポインターで円を描く前記マウスジェスチャーがされたか否かを判定する請求項１又は２に記載の表示装置。
【請求項５】
画面を表示する表示部と、
前記画面を規定する四辺のうち、いずれかの辺側に配置された表示領域を含む前記画面を前記表示部に表示させる表示制御部と、
前記表示領域を含む前記画面が前記表示部に表示された状態で、回転を示すジェスチャーがされたか否かを判定するジェスチャー判定部と、を備え、
前記表示制御部は、前記ジェスチャーがされたと判定された場合、前記表示領域を前記画面上で移動させて、前記四辺のいずれかの辺側に配置し、
前記表示領域は、複数あり、
前記表示部は、タッチパネル式表示部であり、
前記四辺を、第１の辺を基準にして、前記ジェスチャーで示す回転方向に配置された前記第１の辺、第２の辺、第３の辺、第４の辺とし、
前記ジェスチャー判定部は、前記複数の表示領域のうち、前記第１の辺側に配置されている表示領域に一方の指の指先をタッチして動かさず、かつ、他方の指の指先を前記画面上で移動させて円弧を描く前記ジェスチャーがされたか否かを判定し、
前記表示制御部は、円弧を描く前記ジェスチャーがされたと判定された場合、前記一方の指がタッチされた表示領域を、前記画面上で移動させて、前記第２の辺側に配置する表示装置。
【発明の詳細な説明】
【技術分野】
【０００１】
本発明は、タスクバーやタブ等の表示領域を含む画面を表示する表示装置に関する。
【背景技術】
【０００２】
画像形成装置の操作部に表示される操作画面に含まれるキーのレイアウトを、ユーザーがカスタマイズできる技術が提案されている(例えば、特許文献１参照)。
【先行技術文献】
【特許文献】
【０００３】
【特許文献１】特開平７−３０７８１７号公報
【発明の概要】
【発明が解決しようとする課題】
【０００４】
パソコンのディスプレイに表示される画面や画像形成装置の操作部に表示される操作画面の四辺を、上辺、下辺、右辺、左辺とする。パソコンの画面や画像形成装置の操作画面の下辺側には、表示領域が設けられている。パソコンの画面の下辺側には、例えば、タスクバーの表示領域が設けられている。画像形成装置の操作画面の下辺側には、例えば、タブの表示領域が設けられている。
【０００５】
タスクバーを例に説明すると、タスクバーは、画面の下辺側に配置されているが、ユーザーの好みに応じて、タスクバーを、画面の上辺側、右辺側及び左辺側のいずれかに移動させることができる。タスクバーの位置を移動させるには、プロパティ画面にアクセスして、タスクバーの場所の設定を変える必要がある。
【０００６】
しかし、タスクバーの位置を移動させる設定の仕方について、知らないユーザーもいるし、たとえ、知っていても、タスクバーの位置を移動させる設定に要するステップ数が多いので面倒である。
【０００７】
本発明は、画面の四辺のいずれかの辺側に配置された表示領域を、四辺のいずれかの辺側に移動させる操作を簡単にできる表示装置を提供することを目的とする。
【課題を解決するための手段】
【０００８】
上記目的を達成する本発明に係る表示装置は、画面を表示する表示部と、前記画面を規定する四辺のうち、いずれかの辺側に配置された表示領域を含む前記画面を前記表示部に表示させる表示制御部と、前記表示領域を含む前記画面が前記表示部に表示された状態で、回転を示すジェスチャーがされたか否かを判定するジェスチャー判定部と、を備え、前記表示制御部は、前記ジェスチャーがされたと判定された場合、前記表示領域を前記画面上で移動させて、前記四辺のいずれかの辺側に配置する。
【０００９】
本発明に係る表示装置では、回転を示すジェスチャーという直感的な操作によって、表示領域を、ジェスチャーが示す回転方向に従って、画面上を移動させて、四辺のいずれかの辺側に配置することができる。従って、本発明に係る表示装置によれば、画面の四辺のいずれかの辺側に配置された表示領域を、四辺のいずれかの辺側に移動させる操作を簡単にできる。
【００１０】
上記構成において、前記表示領域は、複数あり、前記ジェスチャー判定部は、前記複数の表示領域のうち、いずれの表示領域上で前記ジェスチャーがされたか否かを判定し、前記表示制御部は、前記複数の表示領域のうち、前記ジェスチャーがされた表示領域を、前記画面上で移動させて、前記四辺のいずれかの辺側に配置する。
【００１１】
この構成によれば、表示領域が複数ある場合に、表示領域を選択して移動させることができる。
【００１２】
上記構成において、前記ジェスチャーで示される動きの回転角度を検出する角度検出部を更に備え、前記ジェスチャーで示される１回転を、０度以上θ１未満の第１の角度範囲、前記θ１以上θ２未満の第２の角度範囲、前記θ２以上θ３未満の第３の角度範囲、前記θ３以上θ４未満の第４の角度範囲、前記θ４以上３６０度未満の第５の角度範囲に分け、前記四辺を、第１の辺を基準にして、前記ジェスチャーで示す回転方向に配置された前記第１の辺、第２の辺、第３の辺、第４の辺とし、前記表示制御部は、前記表示領域が前記第１の辺側に配置された状態で、前記ジェスチャーがされたとき、前記角度検出部で検出された前記回転角度が、前記第１の角度範囲の場合、前記表示領域を移動させず、前記第２の角度範囲に到達した場合、前記表示領域を前記第１の辺側から前記第２の辺側に移動させて前記第２の辺側に配置し、前記第３の角度範囲に到達した場合、前記表示領域を前記第２の辺側から前記第３の辺側に移動させて前記第３の辺側に配置し、前記第４の角度範囲に到達した場合、前記表示領域を前記第３の辺側から前記第４の辺側に移動させて前記第４の辺側に配置し、前記第５の角度範囲に到達した場合、前記表示領域を前記第４の辺側から前記第１の辺側に移動させて前記第１の辺側に配置する。
【００１３】
この構成によれば、画面の四辺のうちいずれかの辺側に配置された表示領域を、１回転を示すジェスチャーによって、四辺のうちいずれかの辺側に移動させることができる。
【００１４】
上記構成において、前記表示部は、タッチパネル式表示部であり、前記ジェスチャー判定部は、前記画面がタッチされて前記ジェスチャーがされたか否かを判定する。
【００１５】
この構成は、タッチパネルを利用して、回転を示すジェスチャーが判定される態様である。
【００１６】
上記構成において、前記ジェスチャーは、前記画面上のマウスポインターで円を描くマウスジェスチャーであり、前記ジェスチャー判定部は、前記画面上のマウスポインターで円を描く前記マウスジェスチャーがされたか否かを判定する。
【００１７】
この構成は、回転を示すジェスチャーが、マウスジェスチャーの態様である。
【００１８】
上記構成において、前記表示領域は、複数あり、前記表示部は、タッチパネル式表示部であり、前記四辺を、第１の辺を基準にして、前記ジェスチャーで示す回転方向に配置された前記第１の辺、第２の辺、第３の辺、第４の辺とし、前記ジェスチャー判定部は、前記複数の表示領域のうち、前記第１の辺側に配置されている表示領域に一方の指の指先をタッチして動かさず、かつ、他方の指の指先を前記画面上で移動させて円弧を描く前記ジェスチャーがされたか否かを判定し、前記表示制御部は、円弧を描く前記ジェスチャーがされたと判定された場合、前記一方の指がタッチされた表示領域を、前記画面上で移動させて、前記第２の辺側に配置する。
【００１９】
この構成において、四辺のいずれかの辺側へ移動させたい表示領域に一方の指の指先をタッチして動かさないことによって、移動させたい表示領域を選択する。この状態で、他方の指の指先を画面上で移動させて円弧を描くジェスチャーがされると、選択された表示領域を、ジェスチャーで示される回転方向に従う次の辺側に配置する。従って、この構成によれば、複数の表示領域のうち、移動させたい表示領域を選択する操作とその表示領域を移動させる操作とを兼ねることができる。この構成では、複数の表示領域のうち、移動させたい表示領域に一方の指の指先をタッチして動かさないことによって、移動させたい表示領域を選択するので、特に、表示領域が小さい場合や細長い場合に有効である。
【００２０】
上記構成において、前記表示領域は、タスクバー又はタブが表示される領域である。
【発明の効果】
【００２１】
本発明によれば、画面の四辺のいずれかの辺側に配置された表示領域を、四辺のいずれかの辺側に移動させる操作を簡単にできる。
【図面の簡単な説明】
【００２２】
【図１】本実施形態に係る表示装置を備える画像形成装置の内部構造の概略を説明する説明図である。
【図２】図１に示す画像形成装置の構成を示すブロック図である。
【図３】タッチパネル式表示部に表示される画面の第１例を示す図である。
【図４】タッチパネル式表示部に表示される画面の第２例を示す図である。
【図５】表示領域が画面の右辺側に配置された画面を示す図である。
【図６】表示領域が画面の上辺側に配置された画面を示す図である。
【図７】表示領域が画面の左辺側に配置された画面を示す図である。
【図８】第１のローテーションジェスチャーによって、表示領域を反時計回りに移動させる動作を説明するための画面を示す図である。
【図９】表示領域が反時計回りに移動された画面を示す図である。
【図１０】第１のローテーションジェスチャーによって、表示領域を時計回りに移動させる動作を説明するための画面を示す図である。
【図１１】表示領域が時計回りに移動された画面を示す図である。
【図１２】マウスジェスチャーによって、表示領域を反時計回りに移動させる動作を説明するための画面を示す図である。
【図１３】表示領域が反時計回りに移動された画面を示す図である。
【図１４】マウスジェスチャーによって、表示領域を時計回りに移動させる動作を説明するための画面を示す図である。
【図１５】表示領域が時計回りに移動された画面を示す図である。
【図１６】第２の変形例に適用される画面の具体例を示す図である。
【図１７】第２の変形例において、第２のローテーションジェスチャーによって、表示領域を時計回りに移動させる動作を説明するための画面を示す図である。
【図１８】表示領域が時計回りに移動された画面を示す図である。
【発明を実施するための形態】
【００２３】
以下、図面に基づいて本発明の実施形態を詳細に説明する。図１は、本発明の一実施形態に係る表示装置を備える画像形成装置１の内部構造の概略を説明する説明図である。画像形成装置１は、例えば、コピー、プリンター、スキャナー及びファクシミリの機能を有するデジタル複合機に適用することができる。画像形成装置１は、装置本体１００、装置本体１００の上に配置された原稿読取部２００、原稿読取部２００の上に配置された原稿給送部３００及び装置本体１００の上部前面に配置された操作部４００を備える。
【００２４】
原稿給送部３００は、自動原稿送り装置として機能し、原稿載置部３０１に置かれた複数枚の原稿を連続的に原稿読取部２００で読み取ることができるように送ることができる。
【００２５】
原稿読取部２００は、露光ランプ等を搭載したキャリッジ２０１、ガラス等の透明部材により構成された原稿台２０３、不図示のＣＣＤ(Charge Coupled Device)センサー及び原稿読取スリット２０５を備える。原稿台２０３に載置された原稿を読み取る場合、キャリッジ２０１を原稿台２０３の長手方向に移動させながらＣＣＤセンサーにより原稿を読み取る。これに対して、原稿給送部３００から給送された原稿を読み取る場合、キャリッジ２０１を原稿読取スリット２０５と対向する位置に移動させて、原稿給送部３００から送られてきた原稿を、原稿読取スリット２０５を通してＣＣＤセンサーにより読み取る。ＣＣＤセンサーは読み取った原稿を画像データとして出力する。
【００２６】
装置本体１００は、用紙貯留部１０１、画像形成部１０３及び定着部１０５を備える。用紙貯留部１０１は、装置本体１００の最下部に配置されており、用紙の束を貯留することができる用紙トレイ１０７を備える。用紙トレイ１０７に貯留された用紙の束において、最上位の用紙がピックアップローラー１０９の駆動により、用紙搬送路１１１へ向けて送出される。用紙は、用紙搬送路１１１を通って、画像形成部１０３へ搬送される。
【００２７】
画像形成部１０３は、搬送されてきた用紙にトナー像を形成する。画像形成部１０３は、感光体ドラム１１３、露光部１１５、現像部１１７及び転写部１１９を備える。露光部１１５は、画像データ(原稿読取部２００から出力された画像データ、パソコンから送信された画像データ、ファクシミリ受信の画像データ等)に対応して変調された光を生成し、一様に帯電された感光体ドラム１１３の周面に照射する。これにより、感光体ドラム１１３の周面には、画像データに対応する静電潜像が形成される。この状態で感光体ドラム１１３の周面に現像部１１７からトナーを供給することにより、周面には画像データに対応するトナー像が形成される。このトナー像は、転写部１１９によって先ほど説明した用紙貯留部１０１から搬送されてきた用紙に転写される。
【００２８】
トナー像が転写された用紙は、定着部１０５に送られる。定着部１０５において、トナー像と用紙に熱と圧力が加えられて、トナー像は用紙に定着される。用紙はスタックトレイ１２１又は排紙トレイ１２３に排紙される。
【００２９】
操作部４００は、操作キー部４０１と表示部４０３を備える。表示部４０３は、タッチパネル機能を有しており、ソフトキーを含む画面が表示される。ユーザーは、画面を見ながらソフトキーを操作することによって、コピー等の機能の実行に必要な設定等をする。
【００３０】
操作キー部４０１には、ハードキーからなる操作キーが設けられている。具体的には、スタートキー４０５、テンキー４０７、ストップキー４０９、リセットキー４１１、コピー、プリンター、スキャナー及びファクシミリを切り換えるための機能切換キー４１３等が設けられている。
【００３１】
スタートキー４０５は、コピー、ファクシミリ送信等の動作を開始させるキーである。テンキー４０７は、コピー部数、ファクシミリ番号等の数字を入力するキーである。ストップキー４０９は、コピー動作等を途中で中止させるキーである。リセットキー４１１は、設定された内容を初期設定状態に戻すキーである。
【００３２】
機能切換キー４１３は、コピーキー及び送信キー等を備えており、コピー機能、送信機能等を相互に切り替えるキーである。コピーキーを操作すれば、コピーの初期画面が表示部４０３に表示される。送信キーを操作すれば、ファクシミリ送信及びメール送信の初期画面が表示部４０３に表示される。
【００３３】
図２は、図１に示す画像形成装置１の構成を示すブロック図である。画像形成装置１は、装置本体１００、原稿読取部２００、原稿給送部３００、操作部４００、制御部５００及び通信部６００がバスによって相互に接続された構成を有する。装置本体１００、原稿読取部２００、原稿給送部３００及び操作部４００に関しては既に説明したので、説明を省略する。
【００３４】
制御部５００は、ＣＰＵ(Central Processing Unit)、ＲＯＭ(Read Only Memory)、ＲＡＭ(Random Access Memory)及び画像メモリー等を備える。ＣＰＵは、画像形成装置１を動作させるために必要な制御を、装置本体１００等の画像形成装置１の上記構成要素に対して実行する。ＲＯＭは、画像形成装置１の動作の制御に必要なソフトウェアを記憶している。ＲＡＭは、ソフトウェアの実行時に発生するデータの一時的な記憶及びアプリケーションソフトの記憶等に利用される。画像メモリーは、画像データ(原稿読取部２００から出力された画像データ、パソコンから送信された画像データ、ファクシミリ受信の画像データ等)を一時的に記憶する。
【００３５】
通信部６００は、ファクシミリ通信部６０１及びネットワークＩ／Ｆ部６０３を備える。ファクシミリ通信部６０１は、相手先ファクシミリとの電話回線の接続を制御するＮＣＵ(Network Control Unit)及びファクシミリ通信用の信号を変復調する変復調回路を備える。ファクシミリ通信部６０１は、電話回線６０５に接続される。
【００３６】
ネットワークＩ／Ｆ部６０３は、ＬＡＮ(Local Area Network)６０７に接続される。ネットワークＩ／Ｆ部６０３は、ＬＡＮ６０７に接続されたパソコン等の端末装置との間で通信を実行するための通信インターフェイス回路である。
【００３７】
本実施形態に係る表示装置２について説明する。図２を参照して、表示装置２は、操作部４００及び制御部５００を備える。制御部５００は、機能ブロックとして、画面データ記憶部５０１、表示制御部５０３、ジェスチャー判定部５０５、及び、角度検出部５０７を備える。
【００３８】
画面データ記憶部５０１は、タッチパネル式表示部４０３(以下、「表示部４０３」と記載する場合もある)に表示させる画面の画面データを予め記憶している。
【００３９】
表示制御部５０３は、画面データ記憶部５０１に記憶されている画面データを読み出して、その画面データで示される画面を表示部４０３に表示させる。
【００４０】
図３は、表示部４０３に表示される画面１１の第１例を示す図である。図３に示す画面１１を規定する四辺を、下辺、右辺、上辺、左辺とする。画面１１は、下辺側に配置された一つの表示領域１３を含む。表示領域１３は、下辺に沿って延びる細長形状を有する。
【００４１】
表示領域１３は、タスクバー１５が表示される領域である。タスクバー１５は、スタートボタン１７、タスクボタン１９及びタスクトレイ２１を含む。図３には、三個のタスクボタン１９が示されている。
【００４２】
表示領域１３の位置は、下辺側に限定されず、画面１１の四辺のうち、いずれかの辺側に配置されていればよい。
【００４３】
表示領域１３は、タスクバー１５が表示される領域に限定されない。例えば、タブが表示される領域でもよい。図４は、表示部４０３に表示される画面１１の第２例を示す図である。図４に示す画面１１は、画像形成装置１の操作画面であり、画面１１の下辺側に配置された一つの表示領域１３を含む。図４の表示領域１３は、下辺に沿って延びる細長形状を有しており、タブ２３が表示される領域である。図４には、六個のタブ２３が示されている。
【００４４】
ジェスチャー判定部５０５は、表示領域１３を含む画面１１が表示部４０３に表示された状態で、回転を示すジェスチャーがされたか否かを判定する。
【００４５】
上述したように、図３は、タスクバー１５の表示領域１３が画面１１の下辺側に配置された画面１１を示す図である。図５は、タスクバー１５の表示領域１３が画面１１の右辺側に配置された画面１１を示す図である。図６は、タスクバー１５の表示領域１３が画面１１の上辺側に配置された画面１１を示す図である。図７は、タスクバー１５の表示領域１３が画面１１の左辺側に配置された画面１１を示す図である。
【００４６】
表示制御部５０３は、ジェスチャー判定部５０５によって、回転を示すジェスチャーがされたと判定された場合、表示領域１３を画面１１上で移動させて、画面１１の四辺のいずれかの辺側に配置する。
【００４７】
回転を示すジェスチャーは、ローテーションジェスチャー、及び、画面１１上のマウスポインターで円を描くマウスジェスチャーである。
【００４８】
ローテーションジェスチャーは、三つある。第１のローテーションジェスチャーは、マルチタッチであり、一方の指の指先及び他方の指の指先を通る仮想線を回転させるように、これらの指先の距離を保ちつつ、これらの指先を画面１１上で移動させるジェスチャーである。
【００４９】
第２のローテーションジェスチャーも、マルチタッチであり、一方の指の指先を画面１１上で動かさず(言い換えれば、固定し)、かつ、他方の指の指先を画面１１上で移動させて円弧を描くジェスチャーである。第２のローテーションジェスチャーは、いわゆるピボットローテーションである。
【００５０】
第３のローテーションジェスチャーは、シングルタッチであり、一本の指の指先を画面１１上で移動させて円を描くジェスチャーである。
【００５１】
画面１１上のマウスポインターで円を描くマウスジェスチャーは、手でマウスを動かして、画面１１上のマウスポインターで円を描くジェスチャーである。
【００５２】
ローテーションジェスチャーの場合、ジェスチャー判定部５０５は、画面１１がタッチされてローテーションジェスチャーがされたか否かを判定する。マウスジェスチャーの場合、ジェスチャー判定部５０５は、画面１１上のマウスポインターで円を描くマウスジェスチャーがされたか否かを判定する。
【００５３】
角度検出部５０７は、本実施形態の第１の変形例で説明する。
【００５４】
次に、ローテーションジェスチャーによって、図３に示す画面１１の表示領域１３を移動させる動作について、上述した第１のローテーションジェスチャーを例にして説明する。図８は、第１のローテーションジェスチャーによって、表示領域１３を反時計回りに移動させる動作を説明するための画面１１を示す図である。図９は、第１のローテーションジェスチャーによって、表示領域１３が反時計回りに移動された画面１１を示す図である。図１０は、第１のローテーションジェスチャーによって、表示領域１３を時計回りに移動させる動作を説明するための画面１１を示す図である。図１１は、第１のローテーションジェスチャーによって、表示領域１３が時計回りに移動された画面１１を示す図である。
【００５５】
図８を参照して、表示領域１３が画面１１の下辺側に配置された状態で、一方の指Ｆ１の指先及び他方の指Ｆ２の指先を通る仮想線Ｌを反時計回りに回転させるように、これらの指先の距離を保ちつつ、これらの指先を画面１１上で移動させるジェスチャー(第１のローテーションジェスチャー)をする。表示制御部５０３は、ジェスチャー判定部５０５によって、そのジェスチャーがされたと判定された場合、図９に示すように、表示領域１３を、画面１１の下辺側から右辺側に移動させる。
【００５６】
このジェスチャーを繰り返すことにより、表示領域１３は、図９に示す画面１１の右辺側から図６に示す画面１１の上辺側に移動し、画面１１の上辺側から図７に示す画面１１の左辺側に移動し、画面１１の左辺側から図３に示す画面１１の下辺側に移動する。このように、反時計回りの第１のローテーションジェスチャーを繰り返すことにより、表示領域１３は、画面１１の下辺側から画面１１の右辺側、画面１１の右辺側から画面１１の上辺側、画面１１の上辺側から画面１１の左辺側、画面１１の左辺側から画面１１の下辺側へ移動する。つまり、表示領域１３は、反時計回りに、画面１１の四辺の各辺側に順番に配置されるように画面１１上を移動し(言い換えれば、画面１１の四辺に沿って画面１１上を移動し)、画面１１の四辺のいずれかの辺側に配置される。
【００５７】
これに対して、図８に示すジェスチャーと逆方向の動作、すなわち、図１０を参照して、表示領域１３が画面１１の下辺側に配置された状態で、一方の指Ｆ１の指先及び他方の指Ｆ２の指先を通る仮想線Ｌを時計回りに回転させるように、これらの指先の距離を保ちつつ、これらの指先を画面１１上で移動させるジェスチャー(第１のローテーションジェスチャー)をする。表示制御部５０３は、ジェスチャー判定部５０５によって、そのジェスチャーがされたと判定された場合、図１１に示すように、表示領域１３を、画面１１の下辺側から左辺側に移動させる。
【００５８】
このジェスチャーを繰り返すことにより、表示領域１３は、図１１に示す画面１１の左辺側から図６に示す画面１１の上辺側に移動し、画面１１の上辺側から図５に示す画面１１の右辺側に移動し、画面１１の右辺側から図３に示す画面１１の下辺側に移動する。このように、時計回りの第１のローテーションジェスチャーを繰り返すことにより、表示領域１３は、画面１１の下辺側から画面１１の左辺側、画面１１の左辺側から画面１１の上辺側、画面１１の上辺側から画面１１の右辺側、画面１１の右辺側から画面１１の下辺側へ移動する。つまり、表示領域１３は、時計回りに、画面１１の四辺の各辺側に順番に配置されるように画面１１上を移動し(言い換えれば、画面１１の四辺に沿って画面１１上を移動し)、画面１１の四辺のいずれかの辺側に配置される。
【００５９】
次に、画面１１上のマウスポインターで円を描くマウスジェスチャーによって、図３に示す画面１１の表示領域１３を移動させる動作について説明する。図１２は、マウスジェスチャーによって、表示領域１３を反時計回りに移動させる動作を説明するための画面１１を示す図である。図１３は、マウスジェスチャーによって、表示領域１３が反時計回りに移動された画面１１を示す図である。図１４は、マウスジェスチャーによって、表示領域１３を時計回りに移動させる動作を説明するための画面１１を示す図である。図１５は、マウスジェスチャーによって、表示領域１３が時計回りに移動された画面１１を示す図である。
【００６０】
図１２を参照して、表示領域１３が画面１１の下辺側に配置された状態で、手でマウスを動かして、画面１１上のマウスポインターＰで反時計回りに円を描くジェスチャーをする。表示制御部５０３は、ジェスチャー判定部５０５によって、そのジェスチャーがされたと判定された場合、図１３に示すように、表示領域１３を、画面１１の下辺側から右辺側に移動させる。
【００６１】
このジェスチャーを繰り返すことにより、表示領域１３は、図１３に示す画面１１の右辺側から図６に示す画面１１の上辺側に移動し、画面１１の上辺側から図７に示す画面１１の左辺側に移動し、画面１１の左辺側から図３に示す画面１１の下辺側に移動する。このように、反時計回りのマウスジェスチャーを繰り返すことにより、表示領域１３は、反時計回りに、画面１１の四辺の各辺側に順番に配置されるように画面１１上を移動し、画面１１の四辺のいずれかの辺側に配置される。
【００６２】
これに対して、図１２に示すジェスチャーと逆方向の動作、すなわち、図１４を参照して、表示領域１３が画面１１の下辺側に配置された状態で、手でマウスを動かして、画面１１上のマウスポインターＰで時計回りに円を描くジェスチャーをする。表示制御部５０３は、ジェスチャー判定部５０５によって、そのジェスチャーがされたと判定された場合、図１５に示すように、表示領域１３を、画面１１の下辺側から左辺側に移動させる。
【００６３】
このジェスチャーを繰り返すことにより、表示領域１３は、図１５に示す画面１１の左辺側から図６に示す画面１１の上辺側に移動し、画面１１の上辺側から図５に示す画面１１の右辺側に移動し、画面１１の右辺側から図３に示す画面１１の下辺側に移動する。このように、時計回りのマウスジェスチャーを繰り返すことにより、表示領域１３は、時計回りに、画面１１の四辺の各辺側に順番に配置されるように画面１１上を移動し、画面１１の四辺のいずれかの辺側に配置される。
【００６４】
本実施形態の主な効果を説明する。図１０及び図１１を参照して、本実施形態に係る表示装置２では、ローテーションジェスチャーという直感的な操作によって、表示領域１３を、そのジェスチャーが示す回転方向に従って、画面１１上を移動させて、画面１１の四辺のいずれかの辺側に配置することができる。
【００６５】
従って、表示領域１３の移動の操作を、少ないステップ数で実現可能である。また、表示領域１３の移動の操作に、ボタン等の押下が不要であり、表示領域１３の場所を設定する設定画面にアクセスする必要がない。さらに、例えば、ドラッグ＆ドロップによって、表示領域１３を、画面１１の四辺のいずれかの辺側から別の辺側に移動させる場合、ドラッグ＆ドロップの移動距離は長くなるが、本実施形態によれば、ローテーションジェスチャーをトリガーとして表示領域１３を移動させるので、このようなことはない。
【００６６】
以上より、本実施形態に係る表示装置２によれば、画面１１の四辺のいずれかの辺側に配置された表示領域１３を、四辺のいずれかの辺側に移動させる操作を簡単にできる。
【００６７】
本実施形態の第１の変形例及び第２の変形例を説明する。第１の変形例は、１回転を示すジェスチャーの回転角度に応じて、表示領域１３を移動させる。このようなジェスチャーは、第３のローテーションジェスチャーや、画面１１上のマウスポインターＰで円を描くマウスジェスチャーがある。第３のローテーションジェスチャーを例にして説明する。第３のローテーションジェスチャーは、上述したように、シングルタッチであり、一本の指の指先を画面１１上で移動させて円を描くジェスチャーである。
【００６８】
第１の変形例では、図２に示す角度検出部５０７が利用される。角度検出部５０７は、タッチパネル式表示部４０３によって検出された画面１１上のタッチ位置を利用して、第３のローテーションジェスチャーで示される動きの回転角度を検出する。詳しくは、角度検出部５０７は、一本の指の指先が画面１１上にタッチされて、画面１１上で円を描く動作がされると、その円の中心(回転中心)を演算し、画面１１上でタッチが開始された位置(始点)からの回転角度を演算する。
【００６９】
図３を参照して、第３のローテーションジェスチャーが反時計回りの場合、画面１１の下辺(第１の辺)を基準にすると、回転方向に従って、画面１１の下辺、画面１１の右辺(第２の辺)、画面１１の上辺(第３の辺)、画面１１の左辺(第４の辺)が配置されている。
【００７０】
これに対して、第３のローテーションジェスチャーが時計回りの場合、画面１１の下辺(第１の辺)を基準にすると、回転方向に従って、画面１１の下辺、画面１１の左辺(第２の辺)、画面１１の上辺(第３の辺)、画面１１の右辺(第４の辺)が配置されている。
【００７１】
第３のローテーションジェスチャーで示される１回転を、０度以上θ１未満(例えば、０度以上４５未満)の第１の角度範囲、θ１以上θ２未満(例えば、４５度以上１３５度未満)の第２の角度範囲、θ２以上θ３未満(例えば、１３５度以上２２５度未満)の第３の角度範囲、θ３以上θ４未満(例えば、２２５度以上３１５度未満)の第４の角度範囲、θ４以上３６０度未満(例えば、３１５度以上３６０度未満)の第５の角度範囲に分ける。
【００７２】
ジェスチャー判定部５０５が、図３に示すように、表示領域１３が画面１１の下辺側に配置された状態で、反時計回りの第３のローテーションジェスチャーがされていると判定した場合、角度検出部５０７は、そのジェスチャーで示される動きの回転角度を検出する。
【００７３】
表示制御部５０３は、第１の角度範囲の場合、表示領域１３を移動させず、第２の角度範囲に到達した場合、表示領域１３を画面１１の下辺側から画面１１の右辺側に移動させて画面１１の右辺側に配置し(図５)、第３の角度範囲に到達した場合、表示領域１３を画面１１の右辺側から画面１１の上辺側に移動させて画面１１の上辺側に配置し(図６)、第４の角度範囲に到達した場合、表示領域１３を画面１１の上辺側から画面１１の左辺側に移動させて画面１１の左辺側に配置し(図７)、第５の角度範囲に到達した場合、表示領域１３を画面１１の左辺側から画面１１の下辺側に移動させて画面１１の下辺側に配置する(図３)。
【００７４】
第１の変形例によれば、画面１１の四辺のいずれかの辺側に配置された表示領域１３を、１回転を示すジェスチャーによって、四辺のいずれかの辺側に移動させることができる。
【００７５】
次に、第２の変形例を説明する。第２の変形例は、表示領域が複数あり、いずれかの表示領域を選択的に移動させる。図１６は、第２の変形例に適用される画面３１の具体例を示す図である。画面３１の構成要素のうち、図３に示す画面１１の構成要素と同じ要素については同一符号を付する。
【００７６】
画面３１は、表示領域１３に加えて表示領域３３を含む。表示領域３３は、画面３１の上辺側に配置されており、上辺に沿って延びる細長形状を有する。表示領域３３は、例えば、メニューバーが表示される領域である。第２の変形例では、画面３１が二つの表示領域１３，３３を備えるが、三つ以上であってもよい。
【００７７】
図２に示すジェスチャー判定部５０５は、タッチパネル式表示部４０３によって検出された画面３１上のタッチ位置を利用して、二つの表示領域１３，３３のうち、いずれの表示領域上でローテーションジェスチャーやマウスジェスチャーがされたか否かを判定する。表示制御部５０３は、二つの表示領域１３，３３のうち、ローテーションジェスチャーやマウスジェスチャーがされた表示領域を、ジェスチャーが示す回転方向に従って、画面３１上を移動させて、画面３１の四辺のいずれかの辺側に配置する共に残りの表示領域を移動させない。
【００７８】
第２の変形例について、第２のローテーションジェスチャーを例にして説明する。上述したように、第２のローテーションジェスチャーは、一方の指の指先を画面３１上で動かさず(言い換えれば、固定し)、かつ、他方の指の指先を画面３１上で移動させて円弧を描くジェスチャーである。第２のローテーションジェスチャーで示す回転の方向を、時計回りとし、選択する表示領域を表示領域３３とする。
【００７９】
図１７は、第２のローテーションジェスチャーによって、表示領域３３を時計回りに移動させる動作を説明するための画面３１を示す図である。図１８は、表示領域３３が時計回りに移動された画面３１を示す図である。画面３１の四辺を、上辺(第１の辺)を基準にして、ジェスチャーで示す回転方向(ここでは時計回り)に配置された上辺、右辺(第２の辺)、下辺(第３の辺)、左辺(第４の辺)とする。
【００８０】
図１７に示すように、表示領域３３が画面３１の上辺(第１の辺)側に配置された状態で、表示領域３３に一方の指Ｆ１の指先をタッチして動かさず、かつ、他方の指Ｆ２の指先を画面３１上で移動させて円弧を描くジェスチャーがされる。ジェスチャー判定部５０５によって、そのジェスチャーがされたと判定された場合、図１８に示すように、表示制御部５０３は、表示領域３３を、ジェスチャーが示す回転方向に従って、画面３１上を移動させて、画面３１の右辺(第２の辺)側に配置する。
【００８１】
第２の変形例によれば、二つの表示領域１３，３３がある場合に、表示領域を選択して移動させることができる。回転を示すジェスチャーが、第２のローテーションジェスチャーの場合、さらに、次の効果を有する。
【００８２】
第２のローテーションジェスチャーによれば、画面３１の四辺のいずれかの辺側へ移動させたい表示領域３３に一方の指Ｆ１の指先をタッチして動かさないことによって、移動させたい表示領域３３を選択する。この状態で、他方の指Ｆ２の指先を画面３１上で移動させて円弧を描くジェスチャーがされると、選択された表示領域３３を、ジェスチャーで示される回転方向に従う次の辺側に配置する。従って、二つの表示領域１３，３３のうち、移動させたい表示領域３３を選択する操作とその表示領域３３を移動させる操作とを兼ねることができる。表示領域３３に一方の指Ｆ１の指先をタッチして動かさないことによって、表示領域３３を選択するので、特に、表示領域３３が小さい場合や細長い場合に有効である。
【００８３】
本実施形態、第１の変形例及び第２の変形例は、図２に示す画像形成装置１に備えられる操作部４００の表示部４０３に表示される画面１１，３１を例に説明した。しかしながら、パソコン等に備えられる表示装置に表示される画面にも、本発明を適用することができる。
【符号の説明】
【００８４】
１  画像形成装置
２  表示装置
１１，３１  画面
１３，３３  表示領域
１５  タスクバー
２３  タブ
４０３  タッチパネル式表示部
Ｆ１  一方の指
Ｆ２  他方の指
Ｐ  マウスポインター
【図１】
0006014558.tif 000002
【図２】
0006014558.tif 000003
【図３】
0006014558.tif 000004
【図４】
0006014558.tif 000005
【図５】
0006014558.tif 000006
【図６】
0006014558.tif 000007
【図７】
0006014558.tif 000008
【図８】
0006014558.tif 000009
【図９】
0006014558.tif 000010
【図１０】
0006014558.tif 000011
【図１１】
0006014558.tif 000012
【図１２】
0006014558.tif 000013
【図１３】
0006014558.tif 000014
【図１４】
0006014558.tif 000015
【図１５】
0006014558.tif 000016
【図１６】
0006014558.tif 000017
【図１７】
0006014558.tif 000018
【図１８】
0006014558.tif 000019